(57)【要約】【課題】一つのケース内に複数個の圧電トランス本体を収納したタイプのものであっても、床面積を小さくでき、実装部品の高密度化、機器の小型化に適した圧電トランスを提供する。また、上記タイプの圧電トランスにおいて、駆動時に発生する騒音を極力低減した圧電トランスを提供する。【解決手段】この発明は、ケース１内に仕切板４を設け、ケース１をいわゆる二段ベッド構造とし、仕切板４の上下にそれぞれ圧電トランス本体１０を配置し、回路設計上、複数個の圧電トランス本体１０が必要な場合でも一個分の床面積で済むようにしている。または、ケース１Ａ内に圧電トランス本体１０を縦置きに配置し、床面積の省スペース化を図っている。【選択図】図１
2007208011.tif 000002
【特許請求の範囲】
【請求項１】
内部に仕切板を有し、仕切板の両側をそれぞれ圧電トランス収納部とした単一のケース内に、前記仕切板を介し各圧電トランス収納部にそれぞれ圧電トランス本体を寝かせた状態で横置きに配置、または縦置きに配置したことを特徴とする圧電トランス。
【請求項２】
請求項１記載の圧電トランスにおいて、前記各圧電トランス本体はその節の部分で前記仕切板にそれぞれ固定されたことを特徴とする圧電トランス。
【請求項３】
請求項１または２記載の圧電トランスにおいて、前記仕切板を介しそれぞれ配置された圧電トランス本体は互いに逆位相で振動するものを用い、互いの振動を相殺することを特徴とする圧電トランス。
【発明の詳細な説明】
【技術分野】
【０００１】
この発明は、各種電源装置に用いられる圧電トランスに関する。
【背景技術】
【０００２】
従来、この種の一般的な圧電トランス本体は、図４に示すように、圧電セラミクス１０の一半部の表裏面にそれぞれ１次側の電極１１が設けられ、かつ他半部の外端部に２次側の電極が設けられ、１次側の電極１１や２次側の電極にそれぞれ１次側リード線１２、２次側リード線１３が接続されるなどして構成されている。
【０００３】
なお、その他、２次側の電極を圧電セラミクスの他半部の表裏面端部に設け、いずれか一方の電極に２次側リード線１３を接続したタイプのものもある。
【０００４】
そして、この圧電トランス本体１０は、図５に示すように、底部が開口した箱形のケース１４内に収納される。
【０００５】
ケース１４の外面の適位置に形成された適形状の端子部ａには、１次側の端子１５や、２次側の端子１６が設けられ、圧電トランス本体１０の１次側リード線１２、２次側リード線１３はケース１４の側面に形成された切欠きや端部側に形成された切欠きから外部に引出され、各端子１５、１６に接続され、圧電トランス１７が構成されている。これらの構成は既知である。
【０００６】
この圧電トランス１７は、所定の電源回路を構成すべく他の電子素子と共に基板（図示せず）に組み込まれる。この場合、高出力タイプのものは複数個の圧電トランス１７が基板に実装される。
【０００７】
しかし、基板に複数個の圧電トランス１７をそれぞれ実装するのは組立ての作業性が悪く、煩雑である。
【０００８】
このため、図６に示すように、２つの圧電トランス本体１０をケース１８内に並置したタイプの圧電トランス装置が提案されている。図６はケース１８の平面図である。
【０００９】
この圧電トランス装置として、特開２００４−３１９７１８が存在する。
【特許文献１】特開２００４−３１９７１８
【発明の開示】
【発明が解決しようとする課題】
【００１０】
しかしながら、ケース内に２つの圧電トランス１０を横方向に寝かせた状態で並置し、収納する構造では、ケース１８がその分横方向に大きくなってしまい基板の床面積を必要とし、実装部品の高密度化、機器の小型化上、問題があった。
【００１１】
この発明は、上記のことに鑑み提案されたもので、その目的とするところは、一つのケース内に複数個の圧電トランス本体を収納したタイプのものであっても、床面積を小さくでき、実装部品の高密度化、機器の小型化に適した圧電トランスを提供することにある。
また、上記タイプの圧電トランスにおいて、駆動時に発生する騒音を極力低減した圧電トランスを提供することにある。
【課題を解決するための手段】
【００１２】
請求項１記載の発明は、内部に仕切板を有し、仕切板の両側をそれぞれ圧電トランス収納部とした単一のケース内に、前記仕切板を介し各圧電トランス収納部にそれぞれ圧電トランス本体を寝かせた状態で横置きに配置、または縦置きに配置したことを特徴とする。
請求項２記載の発明は、請求項１記載の圧電トランスにおいて、前記各圧電トランス本体はその節の部分で前記仕切板にそれぞれ固定されたことを特徴とする。
請求項３記載の発明は、請求項１または２記載の圧電トランスにおいて、前記仕切板を介しそれぞれ配置された圧電トランス本体は互いに逆位相で振動するものを用い、互いの振動を相殺することを特徴とする。
【発明の効果】
【００１３】
請求項１記載の発明によれば、寝かせた横置きの圧電トランス本体１０であっても各圧電トランス本体１０を仕切板を介し積層状にそれぞれ配置したため、床面積は一つの圧電トランス本体分で済み、省スペース化を図ることができる。また、ケース内に仕切板を介し各圧電トランス本体収納部に縦置きに配置しても、圧電トランス本体の厚み寸法は巾寸法に比べ小さいため、複数個の圧電トランス本体であっても床面積の省スペース化を図ることができる。
請求項２、３記載の発明によれば、各圧電トランス本体の節の部分で固定するようにし、各圧電トランス本体は互いに逆位相で振動するものを用いたため、低騒音化を図ることができる。
【発明を実施するための最良の形態】
【００１４】
以下、図面に沿って本発明の実施例を説明する。
【実施例１】
【００１５】
図１は本発明の一実施例の概略側断面図、図２は図１中Ａ−Ａ線断面図を示す。
【００１６】
これらの図中、１は絶縁性を有する樹脂からなるケースである。
【００１７】
このケース１は、互いに離間して対向配置された一対の側板２を有している。これらの側板２内の間隔ａは一つの圧電トランス１０を寝かせた状態で横置きで収納できる寸法となっている。また、側板２の高さ寸法ｂは、複数個の圧電トランス本体１０を上下方向、つまり高さ方向にそれぞれ積層状に収納し得る寸法となっている。
【００１８】
一対の側板２の両端部にはそれぞれ端板３が設けられ、かつ一対の側板２の長さ方向のほぼ中央部には仕切板４が設けられ、この仕切板４を介し上下にそれぞれ圧電トランス本体収納部５が区画形成され、各圧電トランス本体収納部５に圧電トランス本体１０がそれぞれ収納出来るようになっている。
【００１９】
端板３の下部には外側に向ってＬ字状に折曲されたフランジ状の取付部３’が形成され、基板（図示せず）上に安定して取り付けることができるようになっている。なお、側板２側に同様の取付部３’を形成しても良いことは勿論である。
【００２０】
圧電トランス本体１０の基本構成は図４に示したように構成されている。電極、リード線等は本発明の要旨とは関係ないため、図１、図２ではそれらについては説明の便宜上、省略している。
【００２１】
収納にあたり、ケース１の上下の開口部１ａから内部に圧電トランス本体１０を収納する。圧電トランス本体１０は仕切板４を介し各圧電トランス収納部５内に積層状に設けられる。この場合、圧電トランス本体１０は、図１および図２に示すように、寝かせた状態、つまりケース１を基板（図示）に搭載する場合、取付部３’が基板上に搭載されるが、圧電トランス１０の巾寸法側の平面（一次電極が設けられる面）が基板面とほぼ平行になる状態で収納される。本発明では、この配置を寝かせた状態で横置きに配置するという。
【００２２】
固定にあたっては、圧電トランス本体１０は、例えばゴム弾性を有するシリコン接着剤Ｃを用い仕切板４に固定すれば良い。このシリコン接着剤Ｃを用いる位置は好ましくは圧電トランス本体１０の節の部分で、ゴム弾性を有するものを用いるのは圧電トランス本体１０の振動を極力妨げないようにするためである。
【００２３】
すなわち、圧電トランス本体１０はその長さ方向に機械的振動を生ずるが、振動の振幅が小さい部分、つまり「節」がある。この「節」の部分で固定すると振動効率の低下を極力防止することができる。
【００２４】
また、各圧電トランス本体１０がそれぞれ機械的に振動すると、この振動が騒音源となる。一つのケース内に複数個の圧電トランス本体を収納すると、各圧電トランスの振動の相乗効果により騒音が大となる。このため、本発明において、仕切板４を介してそれぞれ配置される各圧電トランス本体１０、１０の振動位相を互いに逆とすると振動を低減でき好ましい。すなわち、駆動時に生ずる振動はケース１に伝播してケース１が振動し、騒音を生ずる。この場合、振動位相が互いに逆である圧電トランス本体１０、１０を仕切板４を介して配置することにより、相互の振動を相殺することができるため、仕切板４を介しケース１に伝わる振動を低減することができ、ひいては振動音を低減することができる。
【００２５】
各圧電トランス本体１０、１０の振動位相が互いに逆、ということは、各圧電トランス本体１０、１０の出力が逆位相になるということである。
【００２６】
すなわち、各圧電トランス本体１０、１０の出力を逆位相とするには、例えば各圧電トランス本体１０、１０の一半部の発電部（表裏面に設けられた一次電極間の部分）および他半部側の出力部の分極方向は同じものを用い、かつ各圧電トランス本体１０、１０の１次電極にそれぞれ別個に設けた交流電源を接続し、かつ互いに逆相の入力を加えれば、２次側から互に逆位相の出力が送出される。
【００２７】
また、固定にあたり、λ／２モードの圧電トランス本体１０の節はほぼ中央部である。このため。λ／２モードのものでは、図１に示すように、圧電トランス本体１０の中央部を固定する。λ／２モード以外のものはその節の部分で固定する。
【００２８】
なお、本発明の要旨と関係ないので、特に図示しないが、ケース１の外部の適宜の位置に端子を設け、圧電トランス本体１０に接続された１次、２次のリード線は、例えば図４に示したようにケース１の外部に引出され端子に接続される。
【００２９】
このケース１の底面積は、図５に示す一つの圧電トランス本体１０をケース１４内に収納してなる圧電トランス１７とほぼ同じのため、本発明によれば圧電トランス一つ分の床面積で複数個の圧電トランス本体１０を配置することができる。
【実施例２】
【００３０】
図３は本発明の第２実施例を示す。前述の実施例では、ケース１内に複数個の圧電トランス本体１０を寝かせた状態で横置きに配置したが、この実施例では、それを９０度起して立てた状態で配置したことに特徴を有している。本発明ではこの配置を縦置きという。
【００３１】
圧電トランス本体１０の平面側の巾寸法に比べ厚み寸法は小さい。通常の一般的な圧電トランス本体１０の巾寸法は１ｃｍ前後であるのに対し、厚み寸法は２〜３ｍｍ前後である。この実施例では巾狭の厚み寸法側を基板面に向けるようにし省スペース化を図っている。
【００３２】
すなわち、この実施例では、ケース１Ａは底部が開口した箱型に形成され、天板３ｂの内面のほぼ中央部に仕切板４が形成され、その両側が圧電トランス本体収納部５となっている。そこに圧電トランス本体１０をそれぞれ縦置きに配置し、節の部分でもって接着剤Ｃを介し、仕切板４に固定している。
【００３３】
他の構成、作用効果は前述の第１実施例とほぼ同様である。
【００３４】
なお、本発明は上記実施例に限定されるものでなく、本発明の精神を逸脱しない範囲で種々の設計変更が可能である。例えば図示の実施例ではケース１，１Ａ内に２つの圧電トランス本体１０を収納する場合について説明したが、仕切板を増やし、２以上の圧電トランス本体１０を収納するように構成しても良い。また、取付部３’を図５に示した端子部ａと兼用しても良い。
【図面の簡単な説明】
【００３５】
【図１】本発明の第１実施例の概略側断面図を示す。
【図２】図１中Ａ−Ａ線断面図を示す。
【図３】本発明の第２実施例の概略断面図を示す。
【図４】従来からある圧電トランス本体の一例の斜視図を示す。
【図５】ケース内に圧電トランス本体が収納された一従来例の圧電トランスの斜視図を示す。
【図６】ケース内に圧電トランス本体が横方向に２つ収納された他の従来例の説明図を示す。
【符号の説明】
【００３６】
１    ケース
１ａ  開口部
２    側板
３    端板
４    仕切板
５    圧電トランス本体収納部
１０  圧電トランス本体
１１  １次側電極
１２  １次側リード線
１３  ２次側リード線
【図１】
2007208011.tif 000003
【図２】
2007208011.tif 000004
【図３】
2007208011.tif 000005
【図４】
2007208011.tif 000006
【図５】
2007208011.tif 000007
【図６】
2007208011.tif 000008